【事件の表示】
　平成１０年特許願第５２９２６８号「マルチメディアタイトルの提示方法及びシステム」拒絶査定不服審判事件〔平成１０年　９月１１日国際公開、ＷＯ９８／３９７１３、平成１２年　９月１２日国内公表、特表２０００−５１２０４８〕について、次のとおり審決する。
【結　論】
　本件審判の請求は、成り立たない。
【理　由】
１．手続の経緯
　本願は、１９９８年２月２３日（パリ条約による優先権主張外国庁受理１９９７年３月５日、ヨーロッパ特許庁）を国際出願日とする出願であって、平成１９年１２月２７日付けで拒絶理由通知がなされ、平成２０年７月１５日付けで手続補正がなされたが、同年８月２７日付けで拒絶査定がなされ、これに対し、同年１２月８日に拒絶査定不服審判の請求がなされるとともに、同日付けで手続補正がなされたものである。
　
２．平成２０年１２月８日付けの手続補正についての補正却下の決定
［補正却下の決定の結論］
　平成２０年１２月８日付けの手続補正を却下する。
　
［理由］
（１）補正後の請求項１に係る発明
　平成２０年１２月８日付けの手続補正（以下、「本件手続補正」という。）により、特許請求の範囲の請求項１は、
「マルチメディアタイトルの提示システムにおいて、有限個の情報ノードを含む情報構造に基づくマルチメディアタイトルをユーザーに提示する方法であって、
　前記システムの提示手段が、前記情報構造への入口点を提示するステップと、
　前記システムの記録手段が、特定の前記ノードに係わるものとして、ユーザーの参照を記録するステップと、
　前記システムの表示手段が、１個以上の特定のノードの参照履歴をユーザーに表示するステップと、
を含むマルチメディアタイトルの提示方法において、
　前記表示ステップは、相対的に低い頻度の参照履歴を持つ１個以上のノードを、相対的に高い頻度の参照履歴を持つノードよりも高い確率で提示することを特徴とするマルチメディアタイトルの提示方法。」
から、
「マルチメディアタイトルの提示システムにおいて、有限個の情報ノードを含む情報構造に基づくマルチメディアタイトルをユーザーに提示する方法であって、
　前記システムの提示手段が、前記情報構造への入口点を提示するステップと、
　前記システムの記録手段が、特定の前記ノードに係わるものとして、ユーザーの参照を記録するステップと、
　前記システムの表示手段が、１個以上の特定のノードの参照履歴をユーザーに表示するステップと、
を含むマルチメディアタイトルの提示方法において、
　前記表示するステップは、相対的に低い頻度の参照履歴を持つ１個以上のノードを、相対的に高い頻度の参照履歴を持つノードよりも高い確率で選択し、前記選択されたノードをランダムに選択した結果を提示することを特徴とするマルチメディアタイトルの提示方法。」
に補正された。
　
　上記補正は、実質的に、補正前の請求項１における「表示ステップ」（補正後の請求項１では「表示するステップ」）を、「相対的に低い頻度の参照履歴を持つ１個以上のノードを、相対的に高い頻度の参照履歴を持つノードよりも高い確率で提示する」ものから「相対的に低い頻度の参照履歴を持つ１個以上のノードを、相対的に高い頻度の参照履歴を持つノードよりも高い確率で
選択し、前記選択されたノードをランダムに選択した結果を
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例及び周知例
　原査定の拒絶の理由に引用された特開平９−１５３０５９号公報（以下、「引用例」という。）、及び原査定の備考欄において周知例として引用された特開平８−３１４９４９号公報（以下、「周知例」という。）には、それぞれ、図面とともに次の事項が記載されている。
　
（引用例）
Ａ．「【特許請求の範囲】
【請求項１】  ノード間に張られたリンクを辿りながら情報源の間を移動するハイパーメディア構造を持つシステムにおいて、ユーザが辿った履歴を保持する履歴保持部と、履歴が持つ地理的情報を解析する履歴地理情報解析部と、履歴を解析した結果を管理する履歴管理部と、履歴の解析結果をノードのつながり関係とともにメタファ表示を用いて示す履歴表示部とを備えたことを特徴とする履歴表示装置。
　・・・（中略）・・・
【請求項３】  各ノードに対するユーザのアクセス頻度を取得するアクセス頻度情報取得部と、アクセス頻度に応じて各ノードの表示状態を変化させる履歴表示制御部とを備え、アクセス頻度情報をも表示する請求項１または２記載の履歴表示装置。」
　
Ｂ．「【００１２】本発明の第２の目的は、ハイパーメディアシステムの履歴の表示方法に関して、各ノードを訪れる頻度情報をマップ上にノードの表示状態の違いによって表現することによって、直観的に把握できる要素で頻度情報を表現することができる履歴表示装置を提供することである。
【００１３】本発明の第３の目的は、ハイパーメディアシステムの履歴の表示方法に関して、頻度情報を利用してよく訪れるジャンル・地域やあまり行かないジャンル・地域を表示状態の違いによって表現することによって、ユーザの好みを視覚的に表現することができる履歴表示装置を提供することである。」
　
Ｃ．「【００４２】（実施の形態１）以下、本発明の請求項１および９に対応する第１の実施の形態について、図を用いて詳細に説明する。図１は本実施の形態におけるの履歴表示装置の構成を示すブロック図である。図１において、１００は本発明に係る履歴表示装置である。１０１はユーザが辿った履歴を記憶装置１０５から読み込んで保持する履歴保持部、１０２は履歴が持つ地理的情報を解析する履歴地理情報解析部、１０３は履歴を解析した結果を管理する履歴管理部、１０４は履歴の解析結果をノードのつながり関係とともにメタファ表示を用いて示す履歴表示部である。１０５は履歴表示装置１００が利用するユーザのアクセス履歴を記憶した記憶装置、１０６は履歴表示装置１００の処理結果を表示する表示装置である。
【００４３】以上のように構成された履歴表示装置について、以下その動作を説明する。ここでは、インターネット上のＷＷＷサーバにアクセスした場合の例を示す。ここでいうページとは各ノードに相当するものである。まずユーザのアクセス履歴が記憶装置１０５から読み込まれ、履歴保持部１０１に保持される。図２はインターネット上でＷＷＷサーバに次つぎにアクセスした履歴の例を示している。例に示すように、アクセスした各ページのタイトルとそのページのアドレスを示すＵＲＬがアクセス順に並んでいる。ここではその一部を示す。」
　
Ｄ．「【００５２】（実施の形態３）次に、本発明の請求項３および１１に対応する第３の実施の形態について図を用いて詳細に説明する。第１の実施の形態との違いは、履歴保持部において各ページのタイトルとＵＲＬ以外にアクセス日時も記憶装置より読み込むこと、各ノードに対するユーザのアクセス頻度を取得するアクセス頻度情報取得部と、アクセス頻度に応じて表示する表示状態を変化させる履歴表示制御部とを備えていることである。アクセス頻度に応じて変化させる表示は、面積や色、色の濃淡、輝度、表示の模様などの強調表示などが挙げられるが、ここでは面積を変化させた場合を示す。
【００５３】図１０は本実施の形態における履歴表示装置の構成を示すブロック図である。図１０において、１０００は本発明に係る履歴表示装置であり、１００１はユーザが辿った履歴を記憶装置１００７から読み込んで保持する履歴保持部、１００２は履歴が持つ地理的情報を解析する履歴地理情報解析部、１００３は各ノードに対するユーザのアクセス頻度を取得するアクセス頻度情報取得部、１００４は履歴を解析した結果を管理する履歴管理部、１００５はアクセス頻度に応じて表示する面積を変化させる履歴表示制御部、１００６は利益の解析結果をノードのつながり関係とともにメタファ表示を用いて示す履歴表示部である。１００７は履歴表示装置１０００が利用するユーザのアクセス履歴を記憶した記憶装置、１００８は履歴表示装置１０００の処理結果を表示する表示装置である。
【００５４】図１１は履歴保持部１００１に保持されているアクセス履歴の一例を示す。各ページのタイトルとＵＲＬに加えて、アクセス日時も記憶装置１００７から読み込むまれている。この例では、Switzerland - Home : http://heiwww.unige.ch/switzerland/に同日３回アクセスしていることが分かる。そこで、アクセス頻度情報取得部１００３において、各ページ毎の単位時間当たりのアクセス回数を取得し、取得結果をアクセス頻度情報として履歴管理部１００４に受け渡す。履歴管理部１００４では、上記第１および第２の実施の形態と同様に、アクセス頻度情報取得部１００３で得た結果をテーブルに加える。
【００５５】図１２は履歴管理部１００４が持つ各ページ毎のアクセス頻度を持つ管理テーブルの例である。１２０２〜１２０４は一日当りのアクセス頻度としてそれぞれ１、３、１が管理テーブルに格納されている。１２０１はユーザがホームページとして設定したページであるため、必ず当該ページから始めることになるので、アクセス頻度はカウントしないこととする。
【００５６】次に履歴表示制御部１００５について説明する。図１３は履歴表示制御部１００５が持つアクセス頻度に対するページ表示の拡大倍率テーブルである。履歴表示制御部１００５は、履歴表示部１００６に対して、履歴管理部１００４から渡されるアクセス頻度に応じて表示する面積を変化させるよう指示を行う。そして、最終的に履歴表示部１００６において履歴管理部１００４の情報および履歴表示制御部１００５の情報を用いて、アクセス頻度に応じて面積の異るノードを地図上に表示する。図１４はこのようにして履歴表示部１０００によって表示装置１００８に表示された頻度情報つき履歴地図を示す。
【００５７】以上のように、本実施の形態によれば、ノード間に張られたリンクを辿りながら情報源の間を移動するハイパーメディア構造を持つシステムにおいて、ノードのつながり関係とともにアクセス頻度情報をマップ上にノードの表示状態の違いによって表現することによって、各ノード毎へのアクセス頻度情報をも直観的に把握できる要素で表現することができる。
【００５８】なお、本実施の形態は、第１または第２の実施の形態のいずれかと組み合わせて実施することができる。
【００５９】（実施の形態４）次に、本発明の請求項４および１２に対応する第４の実施の形態について図を用いて詳細に説明する。上記第３の実施の形態との違いは、エリア別のアクセス頻度情報を収集するエリア別頻度情報収集部を備えていること、および履歴表示制御部がアクセス頻度に応じてマッピングする部分の表示状態を変化させ、被マッピング部分を変化させることによって、地域またはジャンル別アクセス頻度情報をも表示することである。アクセス頻度に応じて変化させる表示は、面積や色、色の濃淡、輝度、表示の模様などの強調表示などが挙げられるが、ここでは面積を変化させた場合を示す。
【００６０】図１５は本実施の形態における履歴表示装置の構成を示すブロック図である。図１５において、１５００は本発明に係る履歴表示装置であり、１５０１はユーザが辿った履歴を記憶装置１５０８から読み込んで保持する履歴保持部、１５０２は履歴が持つ地理的情報を解析する履歴地理情報解析部、１５０３は各ノードに対するユーザのアクセス頻度を取得するアクセス頻度情報取得部、１５０４は履歴を解析した結果を管理する履歴管理部、１５０５はエリア別のアクセス頻度情報を収集するエリア別頻度情報収集部、１５０６はアクセス頻度に応じて表示する面積を変化させる履歴表示制御部、１５０７は履歴の解析結果をノードのつながり関係とともにメタファ表示を用いて示す履歴表示部である。１５０８は履歴表示装置１５００が利用するユーザのアクセス履歴を記憶した記憶装置、１５０９は履歴表示装置１５００の処理結果を表示する表示装置である。
【００６１】図１６はエリア別頻度情報収集部１５０５が持つエリア別頻度情報テーブルを示す。エリアは世界を任意の部分に分割したうちの一部分を指し、アクセス頻度はエリア毎に集計したアクセス回数を単位時間当りで割ってアクセス頻度としたものである。ユーザがホームページとして設定したページは、上記第３の実施の形態と同様にアクセス頻度はカウントしないことにする。
【００６２】このエリア別アクセス頻度情報をもとに、履歴表示制御部１５０６は、履歴表示部１５０７に対して、アクセス頻度に応じてマッピングする領域の面積を変化させ、被マッピング部分を変化させるよう指示を行う。図１７はこのようにして履歴表示部１５０７によって表示装置１５０９に表示されたエリア別頻度情報つき履歴地図を示す。
【００６３】なお、本実施の形態では、地域別にアクセス頻度情報を集計して地図を変化させることによって、ユーザのアクセス頻度を地域別の頻度情報として示したが、ジャンル別にアクセス頻度情報を集計し、このアクセス頻度に応じてマッピングするジャンルの面積を変化させてジャンル地図を変化させることによって、ジャンル別の頻度情報として示すことも可能である。
【００６４】以上のように、本実施の形態によれば、ノード間に張られたリンクを辿りながら情報源の間を移動するハイパーメディア構造を持つシステムにおいて、よく訪れるジャンル・地域やあまり行かないジャンル・地域を表示状態の違いによって表現することによって、ユーザの好みの傾向を視覚的に表現することができる。
【００６５】なお、本実施の形態は上記第１または第２の実施の形態と組み合わせて実施することができる。」
　
　ここで、引用例のものにおいて、「ノード」の個数が有限個であることは、明らかである。
　
　よって、上記Ａ〜Ｄの記載及び関連する図面を参照すると、引用例には、実質的に、次の発明が記載されているものと認められる。（以下、「引用例記載の発明」という。）
「ページタイトルの提示システムにおいて、有限個のノードを含むハイパーメディア構造に基づくページタイトルをユーザーに提示する方法であって、
　前記システムの提示手段が、前記ハイパーメディア構造において、ユーザが必ず当該ページから始めることになるホームページとして設定したページを提示するステップと、
　前記システムの履歴保持部が、特定の前記ノードに係わるものとして、ユーザーのアクセス履歴を保持するステップと、
　前記システムの表示装置が、１個以上の特定のノードのアクセス履歴をユーザーに表示するステップと、
を含むページタイトルの提示方法において、
　前記表示するステップは、相対的に低い頻度のアクセス履歴を持つノードと、相対的に高い頻度のアクセス履歴を持つノードとを表示状態を変化させて提示するページタイトルの提示方法。」
　
（周知例）
Ｅ．「【０００１】
【産業上の利用分野】この発明は、ハイパーメディアシステムにおけるデータ管理装置に関するものである。
【０００２】
【従来の技術】ハイパーメディアシステムとは、利用者が定義可能な関係によってデータを分離し、データと、それにつけた見出し、さらに見出しを集めた目次などを、効率的な情報検索に適するように関連つけて蓄積することができ、また、そのように蓄積したデータを検索することができるシステムである。ハイパーメディアシステムは、情報の単位としてノードを有し、各ノードはリンクで結ばれることによってネットワークを構成する。１つのノードはテキスト、グラフィカルデータ、音声などの様々な情報の組み合わせにより構成される。リンクで結ばれている各ノードはリンク先のノードを指定するためのポインターであるリンクアイコンを持っており、後述する表示部２６９のディスプレイ上に表示されているそのリンクアイコンをマウスでクリックすることにより、対応するノードをディスプレイ上に表示することができる。必要な情報を探す場合は、リンクアイコンを選択し、リンクをたどりながら、必要な情報を含むノードを検索する。あるいは、文字列検索やキーワード検索によって、指定した文字列やキーワードをデータとして含んでいるノードを検索する。また、ブラウザと呼ばれる、各ノードのネットワーク全体の状態をリンクアイコンとリンクアイコンとを結んだリンクとしてグラフィカルにディスプレイ上に表示できる手段を用いて、ノード間のネットワークをグラフィカルに表示して、必要なノードをそこから探し出して、直接ノードにアクセスする方法もある。」
　
Ｆ．「【０００７】この発明は、かかる問題点を解決するためになされたものであり、各ノードの格納するデータ、ノードの参照履歴、リンクの利用履歴、リンクで結ばれたノード間の関係、ユーザの個人情報等により表示をかえることにより、ユーザが所望のノードを迅速、かつ、容易に探し出すことができるデータ管理装置を得ることを目的とするものである。」
　
Ｇ．「【００４６】図１５（ｂ）は、図１５（ａ）とは別の表示ルールの例を示した図である。図において、図１５（ａ）と同様または相当する部分については、同一符号を付しその説明を省略する。例えば、図２のステップ２３において、ノードＡとリンクａでリンクしているリンクボタンの表示方法を決定する場合、図１５（ｂ）の属性種類１５０が“リンク利用回数”であることから、図１４のリンク利用履歴１４０が参照される。ここで、リンクａが図１４のリンク利用履歴１４０に記されていることと、図１５（ｂ）の属性情報１５０の“リンク利用回数”の属性値１５１が“１回以上”の場合の表示方法１５２が“点線枠”であることとから、このリンクボタンの表示方法は“点線枠”であると決定される。
【００４７】この実施例においては、上記のように構成したので、上記の実施例１と同様の効果が得られるとともに、さらに、ノード参照履歴またはリンク利用履歴を格納している履歴記憶部１５と、ハイパーメディアデータ管理手段２をモニタし、利用状態からノード参照履歴またはリンク利用履歴を抽出し、履歴記憶部１５に格納する履歴抽出手段１４と、履歴記憶部１５に格納されているノード参照履歴またはリンク利用履歴を検索する履歴検索手段１３と、表示ルール、ノードまたはリンクの属性、表示リソース、および、ノード参照履歴またはリンク利用履歴に基づいて、リンクアイコンの表示パターンを生成する表示パターン生成手段７Ｂとを備えたので、ユーザはノード参照履歴またはリンク利用履歴をリンクアイコンの表示形態から把握することが可能となり、検索効率を向上させることができるという効果を奏する。また、ハイパーメディアデータの利用履歴により、リンクアイコンの表示形態が変化するので、ユーザは表示方法からノード参照履歴またはリンク利用履歴を容易に推測でき、同じノードを何度も参照してしまうなどの操作がなくなり、検索作業の時間と労力を節約できる。」
　
　上記Ｅ〜Ｇの記載及び関連する図面を参照すると、周知例には、次の技術が記載されているものと認められる。（以下、「周知例記載の技術」という。）
「ハイパーメディアデータのノード表示方法において、ノード参照履歴に基づいて、リンクアイコンの表示形態を、例えば、１回以上のリンク利用回数があるリンクボタンは“点線枠”、０回のリンク利用回数があるリンクボタンは“実線枠”とするような表示形態として、同じノードを何度も参照してしまうことのないようにすること。」
　
（３）対比
　本願補正発明と引用例記載の発明とを対比すると、次のことがいえる。
　
（あ）引用例記載の発明における「ページタイトル」と、本願補正発明における「マルチメディアタイトル」とは、「タイトル」である点で共通する。
　
（い）引用例記載の発明における「ノード」、「ハイパーメディア構造」は、本願補正発明における「情報ノード」、「情報構造」に相当する。
　
（う）引用例記載の発明において、「ハイパーメディア構造において、ユーザが必ず当該ページから始めることになるホームページとして設定したページを提示する」ことは、本願補正発明において、「情報構造への入口点を提示する」ことに相当する。
　
（え）引用例記載の発明における「履歴保持部」は、本願補正発明における「記録手段」に相当する。
　そして、引用例記載の発明において、「特定のノードに係わるものとして、ユーザーのアクセス履歴を保持する」ことは、本願補正発明において、「特定のノードに係わるものとして、ユーザーの参照を記録する」ことに相当する。
　
（お）引用例記載の発明における「表示装置」、「特定のノードのアクセス履歴」は、本願補正発明における「表示手段」、「特定のノードの参照履歴」に相当する。
　
（か）本願補正発明において、「相対的に低い頻度の参照履歴を持つ１個以上のノードを、相対的に高い頻度の参照履歴を持つノードよりも高い確率で選択し、前記選択されたノードをランダムに選択した結果を提示する」という動作は、「相対的に低い頻度の参照履歴を持つ１個以上のノード」のうちの「ランダムに選択した」ノードを提示し、「相対的に低い頻度の参照履歴を持つ１個以上のノード」のうちの「ランダムに選択」されなかったノードと「相対的に高い頻度の参照履歴を持つノード」を提示しないという動作を表しているものと解される。
　ここで、ノードを「提示」するかしないかのどちらかにさせるという動作は、ノードの表示状態を変化させるという概念に含まれる下位概念の動作であり、本願補正発明は、少なくとも、「相対的に低い頻度の参照履歴を持つ１個以上のノード」のうちの「ランダムに選択した」ノードと「相対的に高い頻度の参照履歴を持つノード」の表示状態を変化させる動作を行っているということができる。
　よって、本願補正発明と引用例記載の発明とは、「相対的に低い頻度の参照履歴を持つノードと、相対的に高い頻度の参照履歴を持つノードとを表示状態を変化させて提示する」ようにしている点において、共通するものである。
　
　上記（あ）〜（か）の事項を踏まえると、本願補正発明と引用例記載の発明とは、次の点で一致し、また、相違するものと認められる。
　
（一致点）
　本願補正発明と引用例記載の発明とは、ともに、
「タイトルの提示システムにおいて、有限個の情報ノードを含む情報構造に基づくタイトルをユーザーに提示する方法であって、
　前記システムの提示手段が、前記情報構造への入口点を提示するステップと、
　前記システムの記録手段が、特定の前記ノードに係わるものとして、ユーザーの参照を記録するステップと、
　前記システムの表示手段が、１個以上の特定のノードの参照履歴をユーザーに表示するステップと、
を含むタイトルの提示方法において、
　前記表示するステップは、相対的に低い頻度の参照履歴を持つノードと、相対的に高い頻度の参照履歴を持つノードとを表示状態を変化させて提示するタイトルの提示方法。」
である点。
　
（相違点）
　相違点１：「タイトル」が、本願補正発明においては、「マルチメディアタイトル」であるのに対し、引用例記載の発明においては、「ページタイトル」であるものの、「マルチメディアタイトル」であるとはされていない点。
　
　相違点２：「表示するステップ」が、本願補正発明においては、「相対的に低い頻度の参照履歴を持つ１個以上のノードを、相対的に高い頻度の参照履歴を持つノードよりも高い確率で選択し、前記選択されたノードをランダムに選択した結果を提示する」ものであるのに対し、引用例記載の発明においては、そのようなものであるとはされていない点。
　
（４）判断
　そこで、上記相違点１，２について検討する。
　
（相違点１について）
　引用例記載の発明は、ハイパーメディア構造を持つシステムを対象とするものであり、ここで、ハイパーメディア構造を持つシステムにおいて、いわゆる「マルチメディアデータ」を扱うことは、上記周知例のＥの段落【０００２】の【従来の技術】の項に、「ハイパーメディアシステムは、情報の単位としてノードを有し、各ノードはリンクで結ばれることによってネットワークを構成する。１つのノードはテキスト、グラフィカルデータ、音声などの様々な情報の組み合わせにより構成される。」と記載されているように、ごく一般的なことにすぎない。
　してみれば、引用例記載の発明において、「ページタイトル」を「マルチメディアタイトル」とすることは、当業者が容易に想到し得ることである。
　
（相違点２について）
　引用例のものにおいて、「相対的に低い頻度のアクセス履歴を持つノードと、相対的に高い頻度のアクセス履歴を持つノードとを表示状態を変化させて提示する」具体的な態様としては、引用例の上記Ｄの段落【００５２】〜【００５８】に記載されている「実施の形態３」では、「面積を変化させた場合」が示され、図１４を見ると、「相対的に低い頻度のアクセス履歴を持つノード」である“Welcome to the White House”や“Australian Web Servers-Interactive”の方が「相対的に高い頻度のアクセス履歴を持つノード」である“Switzerland-Home”よりも面積が小さいノードとして示されている。そして、そのようにする理由は、引用例の上記Ｄの「実施の形態４」に関する記載として段落【００６４】に「ノード間に張られたリンクを辿りながら情報源の間を移動するハイパーメディア構造を持つシステムにおいて、よく訪れるジャンル・地域やあまり行かないジャンル・地域を表示状態の違いによって表現することによって、ユーザの好みの傾向を視覚的に表現することができる。」と記載されているのと同様に、「よく訪れるノードやあまり行かないノードを表示状態の違いによって表現することによって、ユーザの好みの傾向を視覚的に表現することができる」ようにするためであると解される。
　ここで、「相対的に低い頻度のアクセス履歴を持つノード」の方が「相対的に高い頻度のアクセス履歴を持つノード」よりも面積が小さいノードとする、逆に言えば、「相対的に高い頻度のアクセス履歴を持つノード」の方が「相対的に低い頻度のアクセス履歴を持つノード」よりも面積が大きいノードとする背景には、「相対的に高い頻度のアクセス履歴を持つノード」の方がユーザが好むノードなのであるから、再度アクセスし易いように目立つように面積を大きくするという設計思想があるものと解される。
　しかしながら、上記周知例記載の技術に見られるように、「ハイパーメディアデータのノード表示方法において、ノード参照履歴に基づいて、リンクアイコンの表示形態を、例えば１回以上のリンク利用回数があるリンクボタンは“点線枠”、０回のリンク利用回数があるリンクボタンは“実線枠”とするような表示形態として、同じノードを何度も参照してしまうことのないようにすること」も、行われていることである。すなわち、１回以上のリンク利用回数があるリンクボタンは“点線枠”とし、０回のリンク利用回数、つまり未だ利用していないリンクボタンは“実線枠”とし、未だ参照していないノードを積極的に参照させようとする設計思想（この設計思想は、いわば引用例記載の発明と逆の設計思想である。）も、採用されているものである。
　ここで、上記周知例記載の技術においては、参照させようとするノードを“実線枠”とするものの、あまり参照させないようにするノードも“点線枠”として残しておくようにしているが、参照させようとするノードをより積極的に参照させようとするために、参照させようとするノードのみを“実線枠”として残し、参照させないようにするノードは“点線枠”としても残さない、すなわち、全く提示しないようにすることも、設計思想の選択肢の一つにすぎない。
　そして、あまり参照させないようにするノードも、たまには提示させるようにすべく、確率的に低い確率で提示させるようにすることも、当業者が適宜に設計できる事項にすぎない。
　さらに、参照させようとするノードの中から、ランダムに選択してノードを提示するようにすることも、例えば、特開平７−１４１４００号公報の「・・・前記未再生情報抽出部が抽出した要素情報から一の要素情報をランダムに選択するランダム選択部・・・」（請求項６）等の記載を参酌することにより、当業者が適宜になし得ることにすぎない。
　以上のとおり、引用例記載の発明において、上記周知例記載の技術、及び上記特開平７−１４１４００号公報の記載事項を参酌することにより、「表示するステップ」を「相対的に低い頻度の参照履歴を持つ１個以上のノードを、相対的に高い頻度の参照履歴を持つノードよりも高い確率で選択し、前記選択されたノードをランダムに選択した結果を提示する」ものとすることは、当業者が適宜になし得ることである。
　
（本願補正発明の作用効果について）
　そして、本願補正発明の構成によってもたらされる効果も、引用例記載の発明、上記周知例記載の技術、及び上記特開平７−１４１４００号公報の記載事項から当業者が容易に予測することができる程度のものであって、格別のものとはいえない。
　
　したがって、本願補正発明は、引用例記載の発明、上記周知例記載の技術、及び上記特開平７−１４１４００号公報の記載事項に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２０年１２月８日付けの手続補正は、上記のとおり却下されたので、本願の請求項１に係る発明は、平成２０年７月１５日付け手続補正書の特許請求の範囲の請求項１に記載されたとおりの次のものと認める。（以下、「本願発明」という。）
「マルチメディアタイトルの提示システムにおいて、有限個の情報ノードを含む情報構造に基づくマルチメディアタイトルをユーザーに提示する方法であって、
　前記システムの提示手段が、前記情報構造への入口点を提示するステップと、
　前記システムの記録手段が、特定の前記ノードに係わるものとして、ユーザーの参照を記録するステップと、
　前記システムの表示手段が、１個以上の特定のノードの参照履歴をユーザーに表示するステップと、
を含むマルチメディアタイトルの提示方法において、
　前記表示ステップは、相対的に低い頻度の参照履歴を持つ１個以上のノードを、相対的に高い頻度の参照履歴を持つノードよりも高い確率で提示することを特徴とするマルチメディアタイトルの提示方法。」
　
（２）引用例及び周知例
　これに対して、原査定の拒絶の理由に引用された引用例及び原査定の備考欄において引用された周知例とその記載事項は、上記２．（２）に記載したとおりである。
　
（３）対比・判断
　本願発明は、実質的に、上記２．で検討した本願補正発明における「表示するステップ」について、「相対的に低い頻度の参照履歴を持つ１個以上のノードを、相対的に高い頻度の参照履歴を持つノードよりも高い確率で
選択し、前記選択されたノードをランダムに選択した結果を
　そうすると、本願発明の構成要件を全て含み、さらに特定の限定を施したものに相当する本願補正発明が、上記２．（４）に記載したとおり、引用例記載の発明、上記周知例記載の技術、及び上記特開平７−１４１４００号公報の記載事項に基いて、当業者が容易に発明をすることができたものであるから、上記特定の限定を省いた本願発明は、上記特定の限定に関して引用した上記特開平７−１４１４００号公報の記載事項を参酌するまでもなく、引用例記載の発明及び上記周知例記載の技術に基いて、当業者が容易に発明をすることができたものである。
　
（４）むすび
　以上のとおり、本願発明は、引用例記載の発明及び上記周知例記載の技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。